(57)【特許請求の範囲】
【請求項１】
縮尺情報を算出可能な縮尺情報算出部が設けられたサンプルウェアを着衣した利用者の画像を撮像可能な撮像装置と、
入力手段および上記撮像装置が撮像した画像を送信可能な送信手段を有する利用者側端末装置と、
ネットワークを介して上記利用者側端末装置と情報を送受信できる管理サーバ装置と、を備える採寸支援システムであって、
利用者が上記利用者側端末装置に入力した被服情報が格納されている利用者情報格納手段と、
被服情報と、被服毎に課されている規制に関する情報である被服規制情報とが対応付けられて格納されている被服情報格納手段と、
利用者が上記利用者側端末装置に入力した被服情報に基づき、上記被服情報格納手段の中から被服規制情報を選択する被服規制情報選択手段と、
利用者が上記利用者側端末装置により送信した上記サンプルウェアを着衣した利用者の画像を格納する画像格納手段と、
上記画像格納手段に格納された上記画像が、上記被服規制情報選択手段により選択された被服規制情報に合致しているかの評価をする評価手段と、を備える、ことを特徴とする採寸支援システム。
【請求項２】
請求項１記載の採寸支援システムにおいて、
上記評価手段は、上記画像に表示された上記縮尺情報算出部から上記画像の縮尺情報を算出し、被服に関する所定の画像上の距離と縮尺情報から実際の距離を算出し、算出された実際の距離と上記被服規制情報選択手段により選択された被服規制情報を比較することで、被服規制情報に合致しているかの評価をする、ことを特徴とする採寸支援システム。
【請求項３】
請求項１又は２に記載の採寸支援システムにおいて、
上記利用者情報格納手段は、利用者が上記利用者側端末装置に入力した身体情報を格納し、
上記利用者情報格納手段に格納された身体情報に基づき、利用者が着衣する上記サンプルウェアのサイズを決定するサイズ決定手段を備える、ことを特徴とする採寸支援システム。
【請求項４】
請求項３記載の採寸支援システムにおいて、
上記サイズ決定手段は、少なくとも二種類の上記サンプルウェアのサイズを決定する、ことを特徴とする採寸支援システム。
【請求項５】
請求項１ないし４のいずれかに記載の採寸支援システムにおいて、
上記評価手段が、被服規制情報に合致していない評価をした際に、被服規制情報に合致するための寸法を算出する修正手段を備える、ことを特徴とする採寸支援システム。
【請求項６】
請求項１ないし５のいずれかに記載の採寸支援システムにおいて、
所定の成長情報に基づき、所定の期間経過後であっても被服規制情報に合致するための寸法を算出する成長修正手段を備える、ことを特徴とする採寸支援システム。
【発明の詳細な説明】
【技術分野】
【０００１】
本発明は、採寸支援システムに関し、特に、被服毎に課されている規制に合致する被服を提供するための採寸支援システムに関する。
【０００２】
被服例えば学生服を販売するにあたって、ユーザの体格に合わせて袖丈やズボン丈の距離等を調整するために、販売店舗等において採寸者がメジャーを使って肩幅やウエスト等の採寸を行っている。そして、学生服の受注から納品に至る一連の流れは、3月初旬の合格発表直後から4月初旬の入学式の間までに完結させる必要があり、短い期間に大量の採寸依頼に対応する必要がある。このため、一時的な業務の過剰な負荷により、採寸者に精神的・肉体的な負担を生じさせる虞があると共に、採寸を行うまでの待ち時間が長くなるのでユーザが長い待ち時間に耐えられず、待ち時間の少ない他社に発注することで販売機会損失が発生する虞がある。
【０００３】
そこで、上記問題を解決する技術として、ユーザの身体に装着してユーザの身体のサイズを測定し、当該測定したサイズ等を表すセンサ測定情報を出力するサイズ測定装置と、身体を測定するユーザが操作するユーザ端末と、及びアパレル系商品のサイズや形状の情報等を管理し、当該センサ測定情報に基づいてユーザの身体サイズの情報であるユーザサイズ情報や当該サイズに合った商品の情報である商品検索結果情報をユーザ端末へ提供する管理サーバとを有するサイズ測定システムが知られている（特許文献１）。
【０００４】
このサイズ測定システムによれば、サイズ測定装置により、ユーザ自らがユーザの身体に装着してユーザの身体のサイズを測定し、当該測定したサイズ等を表すセンサ測定情報を、ユーザ末端を介して管理サーバに出力するので、採寸者がユーザと対面して肩幅やウエスト等の採寸を行う必要がなく、採寸者に精神的・肉体的な負担を生じさせない。また、ユーザが所望の場所かつ所望の時間に採寸することができるので待ち時間が発生せず、待ち時間の距離に起因した販売機会損失が発生しない。
【先行技術文献】
【特許文献】
【０００５】
【特許文献１】特開２０１８−１４７０１３号公報
【発明の概要】
【発明が解決しようとする課題】
【０００６】
しかし、特許文献１に記載のものは、ユーザ自らが採寸位置を決定して採寸することができるのでサイズ選択の自由度が高い。このため、被服毎に課されている規制、例えば、学校の校則に違反するサイズのものが採寸データとして出力される虞がある。例えば、女子学生はファッション性から短い丈のスカートを好む傾向があり、本人が所望する短いスカート丈の採寸データになるように自ら位置決めして採寸した場合、その採寸データに基づいて制服を仕立てると、校則に違反するスカート丈の制服を提供する虞が生じる。
【０００７】
本発明はこのような事情の下になされたものであり、利用者に被服毎に課されている規制に合致する被服を提供するための採寸支援システムを提供することにある。
【課題を解決するための手段】
【０００８】
上記課題を解決するために、本発明に係る採寸支援システムは、縮尺情報を算出可能な縮尺情報算出部が設けられたサンプルウェアを着衣した利用者の画像を撮像可能な撮像装置と、入力手段および上記撮像装置が撮像した画像を送信可能な送信手段を有する利用者側端末装置と、ネットワークを介して上記利用者側端末装置と情報を送受信できる管理サーバ装置と、を備える採寸支援システムであって、利用者が上記利用者側端末装置に入力した被服情報が格納されている利用者情報格納手段と、被服情報と、被服毎に課されている規制に関する情報である被服規制情報とが対応付けられて格納されている被服情報格納手段と、利用者が上記利用者側端末装置に入力した被服情報に基づき、上記被服情報格納手段の中から被服規制情報を選択する被服規制情報選択手段と、利用者が上記利用者側端末装置により送信した上記サンプルウェアを着衣した利用者の画像を格納する画像格納手段と、上記画像格納手段に格納された上記画像が、上記被服規制情報選択手段により選択された被服規制情報に合致しているかの評価をする評価手段と、を備える、ことを特徴とする。
【０００９】
このように構成することによって、サンプルウェアを着衣した利用者の画像が、利用者が利用者側端末装置に入力した被服情報に基づき選択された被服規制情報に合致しているかの評価をするので、被服規制情報に合致していない採寸データを選別することができる。
【００１０】
また、上記評価手段は、上記画像に表示された上記縮尺情報算出部から上記画像の縮尺情報を算出し、被服に関する所定の画像上の距離と縮尺情報から実際の距離を算出し、算出された実際の距離と上記被服規制情報選択手段により選択された被服規制情報を比較することで、被服規制情報に合致しているかの評価をしてもよい。
【００１１】
サンプルウェアを着衣した利用者の画像は、利用者の使用する撮像装置や利用者から撮像装置までの撮像距離により、画像毎に縮尺情報が異なるので、画像に表示された縮尺情報算出部から画像の縮尺情報を算出すれば、被服に関する所定の画像上の距離と縮尺情報から実際の距離を算出することができる。算出された実際の距離と被服規制情報を比較することで、被服規制情報に合致しているかの正確な評価をすることができる。
【００１２】
また、上記利用者情報格納手段は、利用者が上記利用者側端末装置に入力した身体情報を格納し、上記利用者情報格納手段に格納された身体情報に基づき、利用者が着衣する上記サンプルウェアのサイズを決定するサイズ決定手段を備えてもよい。
【００１３】
このように構成することによって、サービス提供者の業務を効率化することができる。
【００１４】
また、上記サイズ決定手段は、少なくとも二種類の上記サンプルウェアのサイズを決定してもよい。
【００１５】
このように構成することによって、サイズ決定手段が、利用者が着衣するサンプルウェアのサイズを決定する際の決定ミスの発生率を軽減することができる。
【００１６】
また、上記評価手段が、被服規制情報に合致していない評価をした際に、被服規制情報に合致するための寸法を算出する修正手段を備えてもよい。
【００１７】
このように構成することによって、採寸データが被服規制情報に合致していないとの評価がされた利用者に対し、被服規制情報に合致する採寸データを提供することができる。
【００１８】
また、所定の成長情報に基づき、所定の期間経過後であっても被服規制情報に合致するための寸法を算出する成長修正手段を備えてもよい。
【００１９】
このように構成することによって、利用者の成長に起因して、将来的に被服規制情報に合致しなくなるのを防止することができる。
【発明の効果】
【００２０】
本発明の採寸支援システムによれば、被服規制情報に合致していない採寸データを選別することができるので、利用者に被服規制情報に合致する被服を提供することができる。
【図面の簡単な説明】
【００２１】
【図１】採寸支援システムの全体構成を示す概略説明図である。
【図２】採寸支援システムの全体構成を示す概略ブロック図である。
【図３】サンプルウェアの概略平面図である。
【図４】採寸支援システムの実行する処理を示すフローチャートである。
【図５】スマートフォンにより撮像されたサンプルウェアを着衣した利用者の画像である。
【図６】記憶部の被服情報格納手段に蓄積された校則データベースの一例を示す図である。
【図７】スマートフォンの表示部に表示されたリモート採寸申し込み画面を示す図（ａ），スマートフォンの表示部に表示されたマイページログイン中を示す図（ｂ），スマートフォンの表示部に表示された画像投稿画面を示す図（ｃ），スマートフォンの表示部に表示されたメッセージ画面を示す図（ｄ）である。
【発明を実施するための形態】
【００２２】
以下、本実施形態に係る採寸支援システム１について、図面を参照して説明する。図１は、採寸支援システム１の全体構成を示す概略説明図が示されている。図２は、採寸支援システム１の全体構成を示す概略ブロック図が示されている。
【００２３】
採寸支援システム１は、利用者の袖丈やウエストサイズ等を採寸することができるシステムであって、管理サーバ装置１０と、スマートフォン３０と、店舗用パソコン５０などから構築されている。管理サーバ装置１０とスマートフォン３０とは、インターネット等のネットワークを介して情報を送受信可能に構成されており、管理サーバ装置１０とスマートフォン３０との間においては、様々な情報を送受信することができるようになっている。管理サーバ装置１０と店舗用パソコン５０とは、インターネット等のネットワークを介して情報を送受信可能に構成されており、管理サーバ装置１０と店舗用パソコン５０との間においては、様々な情報を送受信することができるようになっている。管理サーバ装置１０には、不特定多数の利用者がアクセス可能で、利用者は提供者運営サイトを表示するためのプログラムにアクセスすることで、スマートフォン３０を操作して被服を購入することができると共に被服の採寸を申し込むことができる。
【００２４】
〔管理サーバ装置１０の説明〕
図１，２を参照して、管理サーバ装置１０について説明する。図１は、採寸支援システム１を構成する管理サーバ装置１０が示されている。図２は、採寸支援システム１を構成する管理サーバ装置１０の概略ブロック図が示されている。管理サーバ装置１０は、不特定多数の利用者がスマートフォン３０等の利用者側端末装置によりネットワークを介してアクセスし、スマートフォン３０との間で情報を送受信できる装置であって、制御部１１と、記憶部２０と、通信部１３と、を主に備えて構成されている。
【００２５】
制御部１１は、各種の制御や処理をプログラムに基づいて行う部位であって、制御手段であるＣＰＵと、記憶手段であるＲＯＭと、一時的なデータ記憶領域として使用されるＲＡＭ等がバス接続して構成されている。制御部１１は、実装されたハードウェア構成又はプログラムにより実現される機能・手段（処理部）として、サイズ決定手段１４と、被服規制情報選択手段１５と、評価手段１６と、修正手段１７と、成長修正手段１８、を主に備えている。
【００２６】
サイズ決定手段１４は、後述する利用者情格納手段２１に格納された身体情報に基づき、利用者が着衣するサンプルウェア７０（詳細は後述する）のサイズを決定する。
【００２７】
被服規制情報選択手段１５は、利用者がスマートフォン３０に入力した被服情報に基づき、後述する被服情報格納手段２２の中から被服規制情報を選択する。被服情報とは、例えば中学校、高等学校毎に指定する制服のデザイン情報である。被服規制情報とは、被服毎に課されている規制に関する情報、例えば中学校、高等学校毎の校則で定められている制服に関する規制（例えば女子生徒が着衣を許可されるスカート丈の距離）である。
【００２８】
評価手段１６は、利用者のスマートフォン３０から送信され画像格納手段２３に記憶された画像１００が、被服規制情報選択手段１５により選択された被服規制情報に合致しているかの評価をする。
【００２９】
修正手段１７は、評価手段１６が被服規制情報に合致していない評価をした際に、被服規制情報に合致するための寸法を算出する。
【００３０】
成長修正手段１８は、所定の成長情報に基づき、所定の期間経過後であっても被服規制情報に合致するための寸法を算出する。
【００３１】
記憶部２０は、各種データやプログラムを格納・記憶可能な記憶装置であって、利用者情報格納手段２１と、被服情報格納手段２２と、画像格納手段２３と、を主に備えている。
【００３２】
利用者情報格納手段２１は、利用者がスマートフォン３０に入力した被服情報，身体情報等を格納する。具体的には、図７（ａ）に示すように、利用者がスマートフォン３０に入力した「お名前」「住所」「性別」「身長」「体重」「メールアドレス」「学校名」「入学年度」「パスワード」を関連付けて格納する。
【００３３】
被服情報格納手段２２は、被服情報と、被服毎に課されている規制に関する情報である被服規制情報とを対応付けて格納している。上述したように被服情報とは制服のデザイン情報であり、「学校名」より把握することができるので、「学校名」を被服情報とする。上述したように、被服規制情報とは、被服毎に課されている規制に関する情報、例えば中学校、高等学校毎の校則で定められている制服に関する規制（例えば女子生徒が着衣を許可されるスカート丈の距離）である。図６は、被服情報格納手段２２に格納された校則データベースの一例であり、被服情報である「学校名」と被服規制情報である「スカート丈」とが関連つけてデータベース化してある。格納されている情報は、店舗用パソコン５０によって入力が行われた際に更新が行われる。
【００３４】
画像格納手段２３は、利用者のスマートフォン３０により送信されたサンプルウェア７０を着衣した利用者の画像１００を格納する。利用者は、スマートフォン３０を操作し、提供者運営サイトを表示するためのプログラムにアクセスし、利用者のみ閲覧可能なマイページに「メールアドレス」及び「パスワード」が一致すればログインができる。そして、図７（ｂ）にはマイページにログイン後の画面が表示されている。利用者は、図７（ｂ）に表示された「画像投稿画面へ」をタッチすると、図７（ｃ）の画面が表示される。このページで画像１００を選択した後に「送信する」をタッチすれば、管理サーバ装置１０に対し画像１００を送信することができる。送信された画像１００は、ログイン情報である「メールアドレス」と関連つけられて画像格納手段２３に格納される。
【００３５】
通信部１３は、インターネット等のネットワークを介して、スマートフォン３０等から要求された情報を、スマートフォン３０等に出力する。そして、通信部１３は、スマートフォン３０等から送信されてくる情報を受信し、制御部１１に出力する。
【００３６】
〔スマートフォン３０の説明〕
図１，２を参照して、スマートフォン３０について説明する。図１は、採寸支援システム１を構成するスマートフォン３０が示されている。図２は、採寸支援システム１を構成するスマートフォン３０の概略ブロック図が示されている。スマートフォン３０は、本発明における利用者側端末装置である。スマートフォン３０は、携帯電話の一種であって、電話としての通話機能を有すると共に、情報を入力する入力手段，画像１００を送信可能な送信手段及び画像１００を撮像可能な撮像装置を備えている。また、スマートフォン３０は、ウェブプラウザを搭載してインターネット上のウェブサイトにアクセスし、そのサイトを画面に表示することで、利用者にウェブサイトを閲覧させることができる。スマートフォン３０は、制御部３１と、記憶部３７と、通信部３２と、操作部３３と、表示部３４と、撮像部３５と、音声部３６と、を主に備えて構成されている。
【００３７】
制御部３１は、各種の制御や処理をプログラムに基づいて行う部位であって、制御手段であるＣＰＵと、記憶手段であるＲＯＭと、一時的なデータ記憶領域として使用されるＲＡＭ等がバス接続して構成されている。
【００３８】
記憶部３７は、各種データやプログラムを格納・記憶可能な記憶装置であって、撮像部３５が撮像した画像１００を記憶することができる。
【００３９】
通信部３２は、携帯電話機において使用される無線通信の規格に従ってデータ通信を行い、インターネット等のネットワークを介して、管理サーバ装置１０等に対して情報の送信を要求する。そして、通信部３２は、管理サーバ装置１０等から送信されてくる情報を受信し、制御部３１に出力する。
【００４０】
表示部３４は、制御部３１の制御に従って画像１００等を表示する。表示部３４は、タッチパネルを備えており、表示部３４をタッチすることで情報を入力や操作をすることができる。表示部３４は、操作部３３としても機能する。
【００４１】
撮像部３５は、ＣＣＤセンサやＣＭＯＳセンサ等の撮像素子を有して構成され、利用者の操作に従って画像１００を撮影する。制御部３１は、撮影された画像１００を記憶部３７に記憶する。
【００４２】
〔店舗用パソコン５０の説明〕
図１，２を参照して、店舗用パソコン５０について説明する。図１は、採寸支援システム１を構成する店舗用パソコン５０が示されている。図２は、採寸支援システム１を構成する店舗用パソコン５０の概略ブロック図が示されている。店舗用パソコン５０は、提供者側端末装置である。店舗用パソコン５０は、制御部５１と、記憶部５５と、通信部５２と、操作部５３と、表示部５４と、を主に備えて構成されている。
【００４３】
制御部５１は、各種の制御や処理をプログラムに基づいて行う部位であって、制御手段であるＣＰＵと、記憶手段であるＲＯＭと、一時的なデータ記憶領域として使用されるＲＡＭ等がバス接続して構成されている。
【００４４】
記憶部５５は、各種データやプログラムを格納・記憶可能な記憶装置である。
【００４５】
通信部５２は、インターネット等のネットワークを介して、管理サーバ装置１０等に対して情報の送信を要求する。そして、通信部５２は、管理サーバ装置１０等から送信されてくる情報を受信し、制御部５１に出力する。
【００４６】
表示部５５は、制御部５１の制御に従って画像等を表示する。表示部５５は、液晶パネルにより構成されている。
【００４７】
操作部５３は、情報を入力するデバイスであって、キーボードにより構成されている。
【００４８】
〔サンプルウェア７０の説明〕
図３，５を参照して、サンプルウェア７０について説明する。図３は、サンプルウェア７０の概略平面図が示されている。図５は、利用者に着衣された状態のサンプルウェア７０の正面図が示されている。サンプルウェア７０は、利用者に下半身に着衣される被服であって、シート体７１と、第１縮尺情報算出部７２と、第２縮尺情報算出部７３と、を主に備えて構成されている。
【００４９】
シート体７１は、不織布又は布を縦５１ｃｍ横８５センチの長さを備える長方形状に形成して構成されている。シート体７１は、屈曲折り曲げ自在である。
【００５０】
第１縮尺情報算出部７２は、メジャーとして機能し、左右方向に長い長方形の枠体の中に左端から右方向に３ｃｍ毎に仕切りが形成されている。仕切られた枠内には、左から５７、６０、６３…８１までの数字が表示されている。第１縮尺情報算出部７２は、シート体７１左端から５７ｃｍのラインに左端を合わせると共にシート体７１上端に沿って接着されている。第１縮尺情報算出部７２に表示された数字は、シート体７１左端から表示された数字の左側の仕切りラインまでの距離となる。
【００５１】
第２縮尺情報算出部７３は、メジャーとして機能し、上下方向に長い長方形の枠体の中に上端から下方向に３ｃｍ毎に仕切りが形成されている。仕切られた枠内には、上から３９、４２、４５…６３までの数字が表示されている。第２縮尺情報算出部７３は、シート体７１上端から３９ｃｍのラインに上端を合わせると共にシート体７１左端に沿って接着されている。また、第２縮尺情報算出部７３の下部は、シート体７１下端から下方にはみ出している。第２縮尺情報算出部７３に表示された数字は、シート体７１上端から表示された数字の上側の仕切りラインまでの距離となる。
【００５２】
図５は、スマートフォン３０により撮像されたサンプルウェア７０を着衣した利用者の画像１００である。上記のように構成されるサンプルウェア７０は、第１縮尺情報算出部７２及び第２縮尺情報算出部７３が接着されている面を表面とすると共に、第２縮尺情報算出部７３が接着された左端部を右端部の上に重ねる手順で、利用者のウエストに巻き付ければ着衣することができる。
【００５３】
図５に示すように、利用者が、サンプルウェア７０を着衣すると、第１縮尺情報算出部７２により、ウエスト周りの長さを決定することができる。また、第２縮尺情報算出部７３により、スカート丈の長さを決定することができる。
【００５４】
また、第１縮尺情報算出部７２及び第２縮尺情報算出部７３の仕切り幅は３ｃｍであるので、利用者がサンプルウェア７０を着衣した画像１００に表示された仕切り幅の距離から、画像１００の縮尺情報を算出することができる。サンプルウェア７０を着衣した利用者の画像は、利用者の使用するスマートフォン３０や利用者からスマートフォン３０までの撮像距離により、画像１００毎に縮尺情報が異なるので、画像１００に表示された第１縮尺情報算出部７２，第２縮尺情報算出部７３から画像１００の縮尺情報を算出すれば、正確な画像１００の縮尺情報を算出することができる。
【００５５】
上記のように構成されるサンプルウェア７０は、シート体７１の縦横方向の長さを変更すると共に、第１縮尺情報算出部７２及び第２縮尺情報算出部７３の接着位置や表示される数字を変更することにより、複数サイズのサンプルウェア７０が用意されている。
【００５６】
〔採寸支援システム１が実行する処理の説明〕
図４は、採寸支援システム１が実行する処理を示すフローチャートである。利用者がスマートフォン３０を操作し、管理サーバ装置１０の提供者運営サイトを表示するためのプログラムにアクセスすることで処理が開始する。
【００５７】
ステップＳ１「情報を入力」において管理サーバ装置１０の制御部１１は、利用者のスマートフォン３０の表示部３４に表示された図７（ａ）に示す画面で「名前」「住所」「性別」「身長」「体重」「メールアドレス」「学校名」「入学年度」「パスワード」を入力後に送信ボタンがタッチされると、記憶部２０の利用者情報格納手段２１に、送信された「名前」「住所」「性別」「身長」「体重」「メールアドレス」「学校名」「入学年度」「パスワード」を関連付けて格納する。次いで、ステップＳ２に進む。
【００５８】
ステップＳ２「被服規制情報の選択」において管理サーバ装置１０の被服規制情報選択手段１５は、利用者がスマートフォン３０に入力した被服情報に基づき、被服情報格納手段２２の中から被服規制情報を選択する。上述したように被服情報とは制服のデザイン情報であり、「学校名」より把握することができるので、「学校名」を被服情報とする。例えば、利用者情報格納手段２１の「学校名」に「Ｄ高校」と格納されている場合、被服規制情報選択手段１５は、図６に示す校則データベース（被服情報格納手段２２）の中から「Ｄ高校」を検索し、被服情報「Ｄ高校」と対応付けて格納されている被服規制情報「膝下以下」を選択する。被服規制情報選択手段１５は、選択結果「膝下以下」を利用者情報格納手段２１に「名前」等と関連つけて記憶する。次いで、ステップＳ３に進む。
【００５９】
ステップＳ３「サンプルウェアのサイズの決定」において管理サーバ装置１０のサイズ決定手段１４は、利用者がスマートフォン３０に入力し利用者情報格納手段２１に記憶された身体情報「身長」「体重」に基づき、利用者が着衣するサンプルウェア７０のサイズを決定する。この場合、サイズ決定手段はフィットすると推定されるサイズをランキングし上位２位までのサイズを決定する。サイズ決定手段１４は、「１位及び２位のサイズ情報」を利用者情報格納手段２１に「名前」等と関連つけて記憶する。また、制御部１１は、利用者情報格納手段２１に格納された「名前」「住所」「性別」「１位及び２位のサイズ情報」の情報を、店舗用パソコン５０に送信する。
【００６０】
ステップＳ４「サンプルウェアの送付」において店舗用パソコン５０は、「名前」「住所」「性別」「１位及び２位のサイズ情報」の情報を受信し、「１位及び２位のサイズ情報」に合致したサンプルウェアを「名前」「住所」宛に送付する。次いで、ステップＳ５に進む。
【００６１】
ステップＳ５「画像の受信」において管理サーバ装置１０の制御部１１は、利用者のスマートフォン３０により撮像されると共に送信されたサンプルウェアを着衣した利用者の画像１００を受信する。上述したように、送信された画像１００は、ログイン情報である「メールアドレス」と関連つけられて画像格納手段２３に格納される。次いで、ステップＳ６に進む。
【００６２】
ステップＳ６「被服規制情報に合致？」において管理サーバ装置１０の評価手段１６は、利用者のスマートフォン３０から送信され画像格納手段２３に記憶された画像１００が、被服規制情報選択手段１５により選択された被服規制情報に合致しているかの評価をする。具体的には、評価手段１６は、画像１００に表示された第１縮尺情報算出部７２，第２縮尺情報算出部７３から画像１００の縮尺情報を算出し、被服に関する所定の画像上の距離と縮尺情報から実際の距離を算出し、算出された実際の距離と被服規制情報選択手段１５により選択された被服規制情報を比較することで、被服規制情報に合致しているかの評価をする。
【００６３】
例えば、図６に示す画像１００の評価について説明する。評価手段１６は、第２縮尺情報算出部７３の仕切り幅が５ｍｍであるので縮尺情報５ｍｍ／３０ｍｍを算出する。次いで、評価手段１６は、被服に関する所定の画像上の距離、例えば、画像１００における膝上位置からスカート裾位置間の距離１０ｍｍを算出する。次いで、画像１００における膝上位置からスカート裾位置間の距離１０ｍｍと縮尺情報５ｍｍ／３０ｍｍから、膝上位置からスカート裾位置間の実際の距離「スカート裾位置  膝上６０ｍｍ」を算出する。そして、この利用者は「Ｄ高校」であるので規制情報選択手段１５により被服規制情報「膝下以下」が選択されている。次いで、算出された実際の距離「スカート裾位置  膝上６０ｍｍ」と、被服規制情報選択手段１５により選択された被服規制情報「膝下以下」を比較することで、被服規制情報に合致していないとの評価がなされる。
【００６４】
評価手段１６は、「評価情報」を利用者情報格納手段２１に「名前」等と関連つけて記憶する。ステップＳ６において、被服規制情報に合致している場合には（ステップＳ６でＹＥＳ）、ステップＳ８に進み、そうでなければ（ステップＳ６でＮＯ）、ステップＳ７に進む。
【００６５】
ステップＳ７「修正情報の算出」において管理サーバ装置１０の修正手段１７は、評価手段１６が被服規制情報に合致していない評価をした際に、被服規制情報に合致するための寸法を算出する。修正手段１７は、被服規制情報に合致するスカート裾位置（修正位置）を認定し、画像１００におけるスカート裾位置から修正位置間の距離と縮尺情報から、実際の修正位置までの距離を算出する。
【００６６】
例えば、図６に示す画像１００の修正情報の算出について説明する。修正手段１７は、被服規制情報「膝下以下」より、被服規制情報に合致するスカート裾位置について、「膝下」を認定する。次いで、修正手段１７は、画像１００におけるスカート裾位置から膝下位置間の距離１９ｍｍを算出する。次いで、画像１００におけるスカート裾位置から膝下位置間の距離１９ｍｍと縮尺情報５ｍｍ／３０ｍｍから、実際の修正位置は「１１４ｍｍ下」と算出する。修正手段１７は、算出された「修正位置情報」を利用者情報格納手段２１に「名前」等と関連つけて記憶する。次いで、ステップＳ８に進む。
【００６７】
ステップＳ８「成長修正情報の算出」において管理サーバ装置１０の成長修正手段１８は、所定の成長情報に基づき、所定の期間経過後であっても被服規制情報に合致するための寸法を算出する。成長修正手段１８は、利用者情報格納手段２１に格納された「性別」「身長」「体重」及び記憶部２０に記憶された例えば子供の成長に関するデータにより、所定の期間経過後例えば３年後の膝上位置、膝下位置等を算出し、３年後の被服規制情報に合致するスカート裾位置（成長修正位置）を認定する。
【００６８】
例えば、図６に示す画像１００の成長修正情報の算出について説明する。成長修正手段１８は、被服規制情報「膝下以下」より、被服規制情報に合致するスカート裾位置について、「膝下」を認定する。また、成長修正手段１８は、例えば子供の成長に関するデータ等により、成長修正位置は実際の距離において例えば３０ｍｍ下方にずれると算出する。次いで、成長修正手段１８は、画像１００におけるスカート裾位置から膝下位置間の距離１９ｍｍを算出する。次いで、画像１００におけるスカート裾位置から膝下位置間の距離１９ｍｍと縮尺情報５ｍｍ／３０ｍｍから、実際の修正位置は１１４ｍｍ下と算出する。次いで、成長修正手段１８は、この数値に成長修正位置３０ｍｍを加算し、実際の成長修正位置は「１４４ｍｍ下」と算出する。成長修正手段１８は、算出された「成長修正位置情報」を利用者情報格納手段２１に「名前」等と関連つけて記憶する。次いで、ステップＳ９に進む。
【００６９】
ステップＳ９「結果送信」において管理サーバ装置１０の制御部１１は、図７（ｄ）に示すように、マイページ内のメッセージ画面に評価結果を表示する。ステップＳ６において、被服規制情報に合致していない場合には、ステップＳ７において算出された「修正位置情報」（「１２ｃｍ裾を下げないと、校則に違反します。」のメッセージ。ミリ単位は切り上げて表示。）を表示する。また、ステップＳ８において算出された「成長修正位置情報」（「３年後の成長を考慮すると１５ｃｍ裾を下げた方がよいです。」のメッセージ。ミリ単位は切り上げて表示。）を表示する。メッセージ画面はチャット形式で、利用者からのコメントを受け付け修正意思が容易に確認することができるように構成されている。また、制御部１１は、店舗用パソコン５０に対し、利用者情報格納手段２１に格納された「名前」等、「修正位置情報」，「成長修正位置情報」，「利用者からのコメント」，画像格納手段２３に格納された画像１００等を送信する。
【００７０】
以上で、採寸支援システム１が実行する処理は終了である。店舗スタッフは、管理サーバ装置１０から店舗用パソコン５０に送信された情報を確認すれば、被服規制情報に合致している採寸データを取得することができると共に、被服規制情報に合致していない採寸データを選別することができる。
【００７１】
このように、採寸支援システム１によれば、サンプルウェア７０を着衣した利用者の画像１００が、利用者がスマートフォン３０に入力した被服情報に基づき選択された被服規制情報に合致しているかの評価をするので、被服規制情報に合致していない採寸データを選別することができ、利用者に被服規制情報に合致する被服を提供することができる。
【００７２】
〔その他の実施形態について〕
上述した実施形態においては、利用者側端末装置として、スマートフォン３０を使用したが、画像を撮像可能な撮像装置である例えばデジタルカメラと、入力手段及びデジタルカメラが撮像した画像を取り込んで送信可能な送信手段を有するコンピューター装置のセットであってもよい。
【００７３】
本発明は上記の実施形態及び実施例の例示に限定されるものでなく、特許請求の範囲の技術的範囲には、発明の要旨を逸脱しない範囲内で種々、設計変更した形態が含まれる。
【符号の説明】
【００７４】
１  採寸支援システム
１０  管理サーバ装置
１４  サイズ決定手段
１５  被服規制情報選択手段
１６  評価手段
１７  修正手段
１８  成長修正手段
２１  利用者情報格納手段
２２  被服情報格納手段
２３  画像格納手段
３０  スマートフォン（撮像装置，利用者側端末装置）
７０  サンプルウェア
７２  第１縮尺情報算出部
７３  第２縮尺情報算出部
１００  画像
【要約】      （修正有）【課題】利用者に被服毎に課されている規制に合致する被服を提供するための採寸支援システムを提供する。【解決手段】縮尺情報算出部が設けられたサンプルウェアを着衣した利用者の画像を撮像可能な撮像部を備えるスマートフォン３０と、スマートフォン３０と情報を送受信できる管理サーバ装置１０と、を備える採寸支援システム１であって、管理サーバ装置１０は、利用者がスマートフォン３０に入力した被服情報等が格納されている利用者情報格納手段２１と、被服情報と被服規制情報とが対応付けられて格納されている被服情報格納手段２２と、利用者がスマートフォン３０に入力した被服情報に基づき、被服情報格納手段の中から被服規制情報を選択する被服規制情報選択手段１５と、サンプルウェアを着衣した利用者の画像を格納する画像格納手段２３と、画像が被服規制情報に合致しているかの評価をする評価手段１６と、を備える。【選択図】図２【図１】
0006840449.tif 000002
【図２】
0006840449.tif 000003
【図３】
0006840449.tif 000004
【図４】
0006840449.tif 000005
【図５】
0006840449.tif 000006
【図６】
0006840449.tif 000007
【図７】
0006840449.tif 000008